(57)【要約】【課題】  公営競技の予想情報の解説中継と予想情報提供者業務データを同時に表示装置に出力することができ、また、これらの情報を遠地でも視聴できるようにすること。【解決手段】  予想情報入力端末１０で開始操作すると、中継装置２０は予想情報提供者の解説の中継を開始する。予想情報提供者の解説情報は、中継手段３０、無線ＡＰ４０を経て、解説ＬＩＶＥサーバ６０に配信される。情報集計サーバ５０は、中継開始通知を、情報表示制御クライアント７０に配信する。開始通知を受け取った情報表示制御クライアント７０は、中継開始通知からデータ収集すべき予想情報提供者を、内部に保持する「ＩＤリンク表」より解析し、該当データの要求を、情報集計サーバ５０や解説ＬＩＶＥ中継サーバ６０へ通知する。該当するデータを取得できた情報表示制御クライアント７０は、それらの情報を同時に出力できるように画面生成し、情報表示装置８０へ出力する。【選択図】          図１
2006085442.tif 000002
【特許請求の範囲】
【請求項１】
予想情報入力手段を備え、予想情報提供者の解説の様子を撮影し、データ化する中継手段と、
上記中継手段によりデータ化された解説情報を配信する配信手段と、
上記配信された解説情報を出力する情報表示手段を備え、
予想情報入力手段における予想情報提供者の解説開始／停止操作に応じて、上記配信手段による上記データの配信の開始／停止を行う
ことを特徴とする公営競技における予想情報提供者の解説情報中継／情報表示システム。
【請求項２】
予想情報入力手段を備え、予想情報提供者の解説の様子を撮影し、データ化する中継手段と、
予想情報提供者に関する情報を管理する手段と、
上記中継手段によりデータ化された解説情報及び上記予想情報提供者に関する情報を配信する手段と、
上記配信された情報を出力する情報表示手段を備え、
上記情報表示手段は、上記解説情報および予想情報提供者に関する情報に付されたＩＤ情報に基づき、上記解説情報と予想情報提供者に関する情報を関連付けて同時に出力することを特徴とする公営競技における予想情報提供者の解説情報中継／情報表示システム。
【請求項３】
上記情報表示手段により関連付けられた解説情報と予想情報提供者に関する情報を蓄積する蓄積手段を備え、
上記蓄積手段に蓄積された情報を上記情報表示手段により出力可能とした
ことを特徴とする請求項２の公営競技における予想情報提供者の解説情報中継／情報表示システム。
【請求項４】
上記予想情報入力手段、上記中継手段、予想情報提供者に関する情報を管理する手段、もしくは上記情報表示手段との間がネットワークで接続されている
ことを特徴とする請求項２または請求項３の公営競技における予想情報提供者の解説情報中継／情報表示システム。
【請求項５】
予想情報提供者の解説の様子および予想情報提供者に関する情報を出力する解説情報中継／情報表示装置であって、
上記解説情報中継／情報表示装置は、予想情報提供者の解説の様子を撮影しデータ化する中継手段から配信される解説情報と、予想情報提供者に関する情報を管理する手段に格納された予想情報提供者に関する情報を取得する手段と、
上記解説情報と予想情報提供者に関する情報を、それぞれに付されたＩＤ情報に基づき関連付けて同時に出力する手段を備えた
ことを特徴とする公営競技における予想情報提供者の解説情報中継／情報表示装置。
【発明の詳細な説明】
【技術分野】
【０００１】
本発明は、中央競馬や公営競技において、競技場やその近辺で行われている予想情報提供者による解説情報を提供するための解説情報中継／情報表示システム及び情報表示装置に関する。
【背景技術】
【０００２】
競馬、競輪、競艇、オートレースなどの公営競技において、投票券購入者は、独自に入手した情報や、予想情報提供者から提供される予想情報を参考にして、公営競技のレース結果を予想し、投票券を購入している。
上記予想情報は、例えば競馬の場合には、競馬場の予想屋、競馬専門の予想紙、テレビやラジオの競馬番組などから提供されている。予想情報提供業務において、主となる項目は予想情報の解説、予想情報の販売の２点があげられる。
上記予想情報の提供については、従来から種々のものが提案されており、例えば特許文献１には、ネットワークを介して、予想者の予想情報を利用者に提供する情報提供システムが記載されている。
上記特許文献１にも記載されるように、従来は予想情報の販売方法に注目が集まっていたが、予想情報提供者の解説の様子を提供することも、利用者に対するひとつの予想情報提供者のサービスともいえる。
予想情報提供者は、予想情報を導き出す道程を解説するのだが、その解説には専門的な情報が多々含まれ、これらの情報も利用者にとって有意義なものとなる。
しかし、現状は予想情報提供者の解説は、予想情報を販売する手段としてのみ認識されている。
また、予想情報の解説様子は、予想情報提供者近辺でしか視聴する術がなく、一度その視聴を見逃すと、再度同じ解説を視聴する事は不可能である。
【０００３】
一方、近年では、インターネットなどのネットワークを介して、動画、文字データなどのコンテンツを配信し、端末でストリーミングデータを受信し、動画、文字データなどを再生するシステムが種々提案されている（例えば特許文献２参照）。
このような技術を用いれば、予想情報の解説の様子を中継して配信することは可能であると考えられるが、予想情報の解説の様子に加えて、予想情報やこれらに関連するデータを配信することが必要であり、現状において、これらの情報を関連付けて利用者に提供するシステムは存在しない。
【特許文献１】特開２００１−１８８８４７号公報
【特許文献２】特開２００３−２５０１１８号公報
【発明の開示】
【発明が解決しようとする課題】
【０００４】
予想情報提供者が行う予想解説は競技ファンにおいては有意義なものであるが、前記したように従来においては、予想情報提供者の近辺でしか視聴することができず、また、予想解説は一度視聴機会を逃すと二度と同じ解説を視聴することはできない。
また、従来では予想情報や映像の配信を行う為には、複雑で煩雑な情報伝達手段が必要であった。さらに、解説ＬＩＶＥ中継と予想情報提供者における予想情報提供業務上のデータは、それぞれデータ化されていなかった為、両者を同時に表示装置に出力することが出来なかった。
本発明は上記事情に鑑みなされたものであって、本発明の目的は、解説ＬＩＶＥ中継と予想情報提供者における予想情報提供業務上のデータを同時に表示装置に出力することができ、また、これらの情報を競技場に足を運ぶことなく、遠地でも視聴することができ、さらに、これらの情報を、必要に応じて複数回利用することができるシステムおよび装置を提供することである。
【課題を解決するための手段】
【０００５】
本発明においては、上記課題を次のように解決する。
（１）予想情報入力手段を備え、予想情報提供者の解説の様子を撮影しデータ化する中継手段と、中継手段によりデータ化された解説情報を配信する配信手段と、上記配信された解説情報を出力する情報表示手段を設け、予想情報入力手段における予想情報提供者の解説の開始／停止操作に応じて、上記配信手段による上記データの配信の開始／停止を行う。
上記構成とすることで、予想情報提供者は、情報所望者に提供したいタイミングで予想情報の解説ＬＩＶＥの開始／停止をすることができる。特に、上記解説の開始／停止解説を行なうインターフェイスを家電製品（Ｖｉｄｅｏ）の”再生ボタン”、”停止ボタン”のように、通常見慣れたレイアウトとすることで、簡単な操作で解説ＬＩＶＥの開始／停止を行うことができる。
また、予想情報提供者の映像データや音声データなどを中継して、解説情報を情報表示手段に出力して、情報所望者に提供することができる。
（２）上記（１）において、情報表示手段に、上記解説情報および予想情報提供者に関する情報に付されたＩＤ情報に基づき、上記解説情報と予想情報提供者に関する情報を関連付けする手段を設け、上記解説情報と予想情報提供者に関する情報を関連付けて同時に表示する。
上記のように、予想情報提供者の業務情報や予想情報といった予想情報を始めとするデータと、予想情報提供者の中継映像に、それぞれＩＤを付与して識別可能とすることにより、それらが同一の予想情報提供者に関するデータである事を判別することができ、それら情報を関連付けたデータの管理、提供をすることができる。
（３）上記（２）において、情報表示手段により関連付けられた解説情報と予想情報提供者に関する情報を蓄積する蓄積手段をもうけ、上記蓄積手段に蓄積された情報を上記情報表示手段に出力可能とする。
上記構成とすることにより、解説情報や予想情報を再利用可能にすることができ、オンデマンド放送時は前記蓄積サーバからコンテンツを取得することによって、情報表示手段の負荷軽減を実現することができる。また、予想情報提供者の中継情報及び業務情報を複数回視聴することが可能になる。
（４）上記予想情報入力手段、上記中継手段、予想情報提供者に関する情報を管理する手段、もしくは上記情報表示手段との間をネットワークで接続する。
上記構成とすることで、遠地間での情報伝達が可能となり、予想情報提供者の営業する競技場近辺以外の場所（遠地）でも、予想情報の提供、解説中継の配信が可能となる。
【発明の効果】
【０００６】
本発明では以下の効果を得ることができる。
（１）予想情報提供者の解説の様子を撮影しデータ化する中継手段と、中継手段によりデータ化された解説情報を配信する配信手段と、上記配信された解説情報を出力する情報表示手段を設け、予想情報入力手段における予想情報提供者の解説の開始／停止操作に応じて、上記配信手段による上記データの配信の開始／停止を行うことにより、今まで複雑で煩雑であった予想情報提供者の解説映像や音声データの配信、予想情報の配信が簡単な操作で行うことが可能となる。
（２）予想情報提供者の解説ＬＩＶＥ中継映像と、それに該当する予想屋情報提供者の業務情報を関連付けて管理することにより、両情報を同時にひとつの情報表示装置に出力することが可能となる。また、両情報を関連付けて管理するために、複数の予想情報提供者が存在する環境にも適用可能となる。
（３）予想情報提供者の予想情報と中継情報のデータを関連付けた情報を、記憶装置に格納することにより予想情報提供者の解説の様子、及び予想情報提供者の業務情報を再利用することが可能になる。また、オンデマンド放送時は前記蓄積サーバからコンテンツを取得することによって、情報表示手段の負荷軽減を実現することができる。
（４）予想情報入力手段、上記中継手段、予想情報提供者に関する情報を管理する手段、もしくは上記情報表示手段との間の通信手段として、広域イーサネット（登録商標）網やインターネット通信網を利用することにより、競技場内の予想情報提供者近辺に留まらず、遠地でも情報の提供が可能になる。
【発明を実施するための最良の形態】
【０００７】
図１は本発明の実施例のシステムの構成を示す図である。
競技場の場内もしくは場外には、予想情報提供者の解説の様子を撮影しデータ化する機能を有する中継装置２０と、予想情報の解説中継開始ボタン１０ａ、停止ボタン１０ｂを有する予想情報入力端末１０と、解説情報を中継する中継手段３０が設けられている。
上記予想情報入力端末１０と中継手段３０の間は例えばワイヤレス通信手段１１により接続され、また、上記中継手段３０は、無線ＡＰ（アクセスポイント）４０を介して競技場内のネットワークとデータの送受信が可能である。
競技場の場内には、上記中継手段３０、無線ＡＰ４０を介して送られる中継情報（解説情報）をネットワーク配信に適する形へ変換する機能を有する解説ＬＩＶＥ中継サーバ６０と、予想情報提供者の個人プロフィールや、業務を遂行するのに必要となる情報を管理する情報集計サーバ５０が設けられている。解説ＬＩＶＥ中継サーバ６０には記憶手段６１が設けられ、この記憶手段６１には、中継手段３０から送られてくる映像データ、音声データなどが蓄積される。また、情報集計サーバ５０には、記憶装置５１が設けられ、この記憶装置５１には、予想情報提供者のプロフィール、過去の成績等の業務情報、予想情報等が格納される。
【０００８】
また、上記中継情報と予想情報提供者の個人プロフィールや業務情報を関連付け、表示装置８０に同時に出力する機能を有する情報表示制御クライアント７０と、情報表示制御クライアント７０にて生成された出力情報を蓄積していくための蓄積サーバ９０が設けられる。これらは、場内のネットワークを介して接続されている。
蓄積サーバ９０には、記憶装置９１が設けられ、この記憶装置９１に上記出力情報が蓄積される。また、情報制御クライアント７０には記憶装置７１が設けられ、この記憶装置７１に、情報表示制御クライアント７０に上記処理を行なわせるためのプログラムやデータが格納される。
【０００９】
上記情報表示制御クライアント７０にて作成された出力情報は、必要に応じて複数設けられた情報表示装置８０から出力され、利用者は情報表示装置８０により、予想情報提供者の個人プロフィール、業務情報、予想情報、中継解説情報を視聴することができる。
情報表示装置８０を複数設けることで、複数の予想情報提供者の業務情報、予想情報、解説情報などを、それぞれの情報表示装置に同時に出力することもできる。
また、競技場外の遠隔地（投票券売り場など）には、必要に応じて、他のネットワーク網１００を介して接続された情報表示制御クライアント７０と、情報表示装置８０が設置される。情報表示制御クライアント７０は、上記情報表示制御クライアント７０と同様、中継情報と予想情報提供者の個人プロフィールや業務情報を関連付け、表示装置８０に同時に出力する機能を有する。
予想情報提供者の解説を視聴するには、通常、その競技場へ足を運ぶ必要があったが、上記構成とすることにより、また遠地でこの解説を視聴することができる。
また、予想情報入力端末１０、情報集計サーバ５０、解説ＬＩＶＥ中継サーバ６０、情報表示制御クライアント７０等をネットワークを介して接続することにより、これらを離散させて配置することも可能となり、入力端末、サーバ等を全て場内に配置する必要はなくなる。また、予想情報提供者の営業する競技場近辺以外の場所（遠地）でも、予想情報の提供、解説中継の配信が可能となる。
【００１０】
図１において、予想情報入力端末１０上の解説中継開始ボタン１０ａを押下することにより、解説ＬＩＶＥ中継の開始通知がワイヤレス通信手段１１、中継手段３０、無線ＡＰ４０を経て、情報集計サーバ５０へ伝達される。
なお、予想情報入力端末１０上に設けられる解説中継開始ボタン１０ａ、解説中継停止ボタン１０ｂ等のインターフェイスを家電製品（Ｖｉｄｅｏ）の”再生ボタン”、”停止ボタン”のように、通常見慣れたレイアウトとすることで、情報配信、停止を直感的に行うことができる。
情報集計サーバ５０は前記開始通知を受信すると、解説ＬＩＶＥ中継の開始通知を、前記無線ＡＰ４０、中継手段３０を経て中継装置２０に通知し、中継装置２０は予想情報提供者の解説の様子の中継を開始する。
【００１１】
解説ＬＩＶＥ中継を停止する場合も同様に、予想情報入力端末１０の停止ボタン１０ｂを押し下げることにより停止通知を発行し、上記経路にそって、中継装置２０へ到達し解説中継の停止を行う。
上記のように開始通知を受信した中継装置２０は予想情報提供者の解説情報を、中継手段３０、無線ＡＰ４０を経て、解説ＬＩＶＥ中継サーバ６０に配信する。この時、解説情報には一意の識別ＩＤが付与されることになり、この識別ＩＤは情報管理に使用される。
情報集計サーバ５０は、上記解説ＬＩＶＥ中継開始通知を、情報表示制御クライアント７０に配信する。
この際、同一ネットワーク内の情報表示制御クライアント７０のみではなく、他ネットワーク網１００を介し、遠隔地の情報表示制御クライアント７０へ配信することも可能である。
【００１２】
開始通知を受け取った情報表示制御クライアント７０は、中継開始通知からデータ収集すべき予想情報提供者を、内部に保持する「ＩＤリンク表」（ＩＤ関連付けテーブル）より解析し、該当データの要求を、情報集計サーバ５０や解説ＬＩＶＥ中継サーバ６０へ通知する。
情報集計サーバ５０、解説ＬＩＶＥ中継サーバ６０から該当するデータを取得できた情報表示制御クライアント７０は、それらの情報を同時に情報表示装置８０に出力できるように画面生成し、情報表示装置８０へ出力する。
また、情報表示制御クライアント７０にて生成された画面出力情報は、蓄積サーバ９０の記憶装置９１に格納することにより、この情報を複数回視聴可能になる。
また、生成後のコンテンツを格納することにより、オンデマンド配信時に再度情報表示制御クライアント７０にて生成する必要が無くなり、該クライアントの負荷軽減を行う効果もある。
【００１３】
図２は、情報集計サーバ、解説ＬＩＶＥサーバ等に蓄積される情報と、情報表示制御クライアント７０による処理機能を説明する図である。
情報集計サーバ５０の記憶装置５１には、予想情報入力端末１０から入力される予想情報が格納されるとともに、予想情報提供者のプロフィール、過去の予想の成績に関する情報などが格納されている。
また、前記中継装置２０から送られてくる映像データ、音声データなどは、解説ＬＩＶＥ中継サーバ６０の記憶手段６１に蓄積される。
情報表示制御クライアント７０は、前記したように、予想情報提供業者と、そのプロフィール、予想情報、中継情報などを関連付けるＩＤ関連付けテーブルを備えており、データ収集すべき予想情報提供者を、上記ＩＤ関連付けテーブルに基づき解析し、データの要求を、情報集計サーバ５０や解説ＬＩＶＥ中継サーバ６０へ通知する。
【００１４】
情報集計サーバ５０は、上記データ要求があると、予想情報提供者の情報ＩＤ（例えばＡ１）、予想情報入力情報ＩＤ（例えばＡＡ１）とともに、予想情報提供者のプロフィール、予想情報、等を情報表示制御クライアント７０へ送出する。
また、解説ＬＩＶＥ中継サーバ６０は、中継情報ＩＤ（例えばＡＡＡ１）とともに、中継手段３０から送られてきた解説情報の映像データ、音声データを情報表示制御クライアント７０へ送出する。
情報表示制御クライアント７０は、上記上記ＩＤ関連付けテーブルに基づき、情報集計サーバ５０や解説ＬＩＶＥ中継サーバ６０から送られてくる情報を関連付けて、画面生成をして情報表示装置８０に出力する。
上記のようにＩＤにより、予想情報提供者の解説ＬＩＶＥ中継映像と、それに該当する予想情報提供者の業務情報を関連付けて管理することにより、両情報を同時にひとつの情報表示装置に出力でき、また、複数の予想情報提供者が存在する環境にも適用することができる。
【００１５】
図３は、情報表示制御クライアント７０により生成されたコンテンツの保存方法を説明する図である。
情報表示制御クライアント７０により生成された画面出力情報（コンテンツ）は、上記のように情報表示装置８０へ出力されるとともに、蓄積サーバ９０に送出され、記憶装置９１に格納される。
例えば同図に示すように、各提供者について作成日、業務情報、提供者名、映像情報などが関連付けて格納される。これにより、蓄積サーバ９０からこれらの情報を取り出すことにより、上記情報を複数回視聴することが可能となる。また、オンデマンド放送時は解説ＬＩＶＥ中継サーバ６０、情報集計サーバ５０からデータを取得する必要が無い為、情報表示制御クライアント７０の負荷を減らすことが可能となる。
【００１６】
図４は、情報表示制御クライアント７０における処理を示すフローチャートである。
図４において、情報表示制御クライアント７０は、情報集計サーバ５０にアクセスして、予想情報提供者のプロフィール、予想情報、過去成績などの予想情報提供者に関する情報を取得し、中継開始前は、これらの情報を情報表示装置８０に表示する処理を繰り返す（ステップＳ１，Ｓ２，Ｓ３）。
中継が開始されると、解説ＬＩＶＥ中継サーバ６０から、解説情報（中継情報）を取得し、上記予想情報提供者に関する情報と解説情報をＩＤに基づき同期させる（ステップＳ４，Ｓ５）。そして、関連付けられた予想情報提供者に関する情報と解説情報を、映像と音声と文字で情報表示装置８０に出力する（ステップＳ６）。この処理を解説が終了するまで繰り返し（ステップＳ７→ステップＳ４）、解説が終了すると、出力した映像、音声、文字情報を蓄積サーバ９０へ転送する（ステップＳ８）。そして、業務終了まで、上記処理を繰り返し、業務終了とともに処理を終了する。
【００１７】
（付記１）  予想情報入力手段を備え、予想情報提供者の解説の様子を撮影し、データ化する中継手段と、
上記中継手段によりデータ化された解説情報を配信する配信手段と、
上記配信された解説情報を出力する情報表示手段を備え、
予想情報入力手段における予想情報提供者の解説開始／停止操作に応じて、上記配信手段による上記データの配信の開始／停止を行うことを特徴とする公営競技における予想情報提供者の解説情報中継／情報表示システム。
（付記２）  予想情報入力手段を備え、予想情報提供者の解説の様子を撮影し、データ化する中継手段と、
予想情報提供者に関する情報を管理する手段と、
上記中継手段によりデータ化された解説情報及び上記予想情報提供者に関する情報を配信する手段と、
上記配信された情報を出力する情報表示手段を備え、
上記情報表示手段は、
上記解説情報および予想情報提供者に関する情報に付されたＩＤ情報に基づき、上記解説情報と予想情報提供者に関する情報を関連付けて同時に出力することを特徴とする公営競技における予想情報提供者の解説情報中継／情報表示システム。
（付記３）  上記情報表示手段により関連付けられた解説情報と予想情報提供者に関する情報を蓄積する蓄積手段を備え、
上記蓄積手段に蓄積された情報を上記情報表示手段により出力可能とした
ことを特徴とする付記２の公営競技における予想情報提供者の解説情報中継／情報表示システム。
（付記４）  上記予想情報入力手段、上記中継手段、予想情報提供者に関する情報を管理する手段、もしくは上記情報表示手段との間がネットワークで接続されている
ことを特徴とする付記２または付記３の公営競技における予想情報提供者の解説情報中継／情報表示システム。
（付記５）  予想情報提供者の解説の様子および予想情報提供者に関する情報を出力する解説情報中継／情報表示装置であって、
上記解説情報中継／情報表示装置は、予想情報提供者の解説の様子を撮影しデータ化する中継手段から配信される解説情報と、予想情報提供者に関する情報を管理する手段から予想情報提供者に関する情報を取得する手段と、
上記解説情報と予想情報提供者に関する情報を、それぞれに付されたＩＤ情報に基づき関連付けて同時に出力する手段を備えた
ことを特徴とする公営競技における予想情報提供者の解説情報中継／情報表示装置。
（付記６）  予想情報提供者の解説の様子および予想情報提供者に関する情報を出力するプログラムであって、
上記プログラムは、上記解説の中継開始通知を受信したとき、予想情報提供者の解説の様子を撮影しデータ化する中継手段から配信される解説情報と、予想情報提供者に関する情報を管理する手段から予想情報提供者に関する情報を取得する処理と、
上記解説情報と、予想情報提供者に関する情報を、それぞれに付されたＩＤ情報に基づき関連付けて同時に出力する処理をコンピュータに実行させる
ことを特徴とする公営競技における予想情報提供者の解説情報中継／情報表示プログラム。
【図面の簡単な説明】
【００１８】
【図１】本発明の実施例のシステムの構成を示す図である。
【図２】情報集計サーバ、解説ＬＩＶＥサーバ等に蓄積される情報と、情報表示制御クライアントによる処理機能を説明する図である。
【図３】情報表示制御クライアント７０により生成されたコンテンツの保存方法を説明する図である。
【図４】情報表示制御クライアントにおける処理を示すフローチャートである。
【符号の説明】
【００１９】
１０  予想情報入力端末
１１  ワイヤレス通信手段
１０ａ解説開始ボタン
１０ｂ解説停止ボタン
３０  中継手段
２０  中継装置
４０  無線ＡＰ
５０  情報集計サーバ
５１  情報集計サーバの記憶装置
６０  解説ＬＩＶＥサーバ
６１  解説ＬＩＶＥ中継サーバの記憶装置
７０  情報表示制御クライアント
７１  情報表示制御クライアントの記憶装置
８０  情報表示装置
９０  蓄積サーバ
９１  蓄積サーバの記憶装置
１００ネットワーク
【図１】
2006085442.tif 000003
【図２】
2006085442.tif 000004
【図３】
2006085442.tif 000005
【図４】
2006085442.tif 000006